(57)【要約】【課題】物質の同定とともに粒子径測定を簡便に行える粒子径測定方法、粒子径測定装置及びそれを用いた品質管理方法を提供する。【解決手段】本発明に係る粒子径測定方法は、被検出物に近赤外光を照射し、被検出物のラマンスペクトルを検出し、得られたラマンスペクトルのピーク強度から被検出物の粒子径を決定する、ことを特徴とする。また、前記近赤外光が１０６４ｎｍの波長を有してもよい。検出したラマンスペクトルから被検出物を同定し、同定した被検出物と同じ物質について、予め求めたラマンスペクトルのピーク強度と被検出物の粒子径との関係に基づいて、被検出物の粒子径を算出してもよい。【選択図】図１
2018151273.tif 000002
【特許請求の範囲】
【請求項１】
被検出物に近赤外光を照射し、
被検出物のラマンスペクトルを検出し、
得られたラマンスペクトルのピーク強度から被検出物の粒子径を決定する、
ことを特徴とする、粒子径測定方法。
【請求項２】
前記近赤外光が１０６４ｎｍの波長を有する、ことを特徴とする、請求項１に記載の粒子径測定方法。
【請求項３】
検出したラマンスペクトルから被検出物を同定し、
同定した被検出物と同じ物質について予め求めたラマンスペクトルのピーク強度と被検出物の粒子径との関係に基づいて、被検出物の粒子径を算出する、請求項１又は２に記載の粒子径測定方法。
【請求項４】
近赤外光照射部と、
ラマン散乱光検出部と、
前記ラマン散乱光検出部が検出したラマンスペクトルのピーク強度から、粒子径を算出する粒子径算出部と、を備える、
ことを特徴とする、粒子径測定装置。
【請求項５】
前記近赤外光照射部は、１０６４ｎｍの波長の光を発する光源を備える、ことを特徴とする、請求項４に記載の粒子径測定装置。
【請求項６】
ラマンスペクトル、被検出物の種類、ラマンスペクトルのピーク強度に対する被検出物の粒子径を関連付けて格納するデータベースをさらに備える、ことを特徴とする、請求項４又は５に記載の粒子径測定装置。
【請求項７】
前記粒子径算出部は、前記データベースに格納されたラマンスペクトルのピーク強度と被検出物の粒子径との関係に基づいて、前記検出したラマンスペクトルのピーク強度から前記被検出物の粒子径を算出する、ことを特徴とする、請求項６に記載の粒子径測定装置。
【請求項８】
前記データベースに格納されたラマンスペクトルに基づいて、前記ラマン散乱光検出部が検出したラマンスペクトルに対応する被検出物の種類を同定する被検出物同定部をさらに備え、
前記粒子径算出部は、同定した被検出物の種類に基づいて、前記被検出物に関連付けられた前記データベースに格納されたラマンスペクトルのピーク強度のデータを選択し、
選択したラマンスペクトルのピーク強度から前記被検出物の粒子径を算出する、ことを特徴とする、請求項７に記載の粒子径測定装置。
【請求項９】
請求項４乃至８の何れか一に記載の粒子径測定装置を用いて、原料粉末の粒子径を測定し、
前記原料粉末の適否を判定する、ことを特徴とする、品質管理方法。
【請求項１０】
粉体の処理工程において、請求項４乃至８の何れか一に記載の粒子径測定装置を用いて、粉体の粒子径を測定し、
測定した前記粉体の粒子径が所定の大きさとなった時点で、前記処理工程を終了する、ことを特徴とする、品質管理方法。
【発明の詳細な説明】
【技術分野】
【０００１】
本発明は、粒子径測定方法、粒子径測定装置及びそれを用いた品質管理方法に関する。特に、本発明は、ラマン散乱光を用いた粒子径測定方法、粒子径測定装置及びそれを用いた品質管理方法に関する。
【背景技術】
【０００２】
粉体原料の検品や造粒を伴う製造工程における造粒物の品質管理等において、物質の同定や粒子径の測定は日常的に行われている。例えば、第１７改正日本薬局方には、近赤外吸収スペクトル法による物質の定性的又は定量的評価が記載されている。また、米国や欧州のように、ラマン分光法による物質の同定を行うことを薬局方に規定した国も知られている。このため、粉体原料の検品や品質管理等を目的とした近赤外吸収スペクトル法又はラマン分光法を用いた物質の同定のための小型の装置が実用化されている。
【０００３】
一方、粒子径測定方法には、動的光散乱法、レーザー回折・散乱法、画像解析法及び遠心沈降法が知られている。また、顕微鏡ラマン分光法によるラマンケミカルイメージングを利用した粒子径測定方法も報告されている。しかし、何れの方法も測定装置の小型化が進められてはいるものの、測定試料を採取し、実験室や測定室に配置された測定装置を用いて測定する必要が有るため、十分に簡便であるとはいえない。
【０００４】
したがって、現在においては、作業現場における物質の同定は比較的簡便に行えるものの、粉体の粒子径測定を作業現場において簡便に行うことができないのが実情である。
【先行技術文献】
【特許文献】
【０００５】
【特許文献１】特許第５３５５２６９号公報
【発明の概要】
【発明が解決しようとする課題】
【０００６】
本発明は上述した問題を解決するものであって、物質の同定とともに粒子径測定を簡便に行える粒子径測定方法、粒子径測定装置及びそれを用いた品質管理方法を提供する。
【課題を解決するための手段】
【０００７】
本発明の一実施形態によると、被検出物に近赤外光を照射し、被検出物のラマンスペクトルを検出し、得られたラマンスペクトルのピーク強度から被検出物の粒子径を決定する、ことを特徴とする、粒子径測定方法が提供される。
【０００８】
前記粒子径測定方法において、前記近赤外光が１０６４ｎｍの波長を有してもよい。
【０００９】
前記粒子径測定方法において、検出したラマンスペクトルから被検出物を同定し、同定した被検出物と同じ物質について予め求めたラマンスペクトルのピーク強度と被検出物の粒子径との関係に基づいて、被検出物の粒子径を算出してもよい。
【００１０】
また、本発明の一実施形態によると、近赤外光照射部と、ラマン散乱光検出部と、前記ラマン散乱光検出部が検出したラマンスペクトルのピーク強度から、粒子径を算出する粒子径算出部と、を備える、ことを特徴とする、粒子径測定装置が提供される。
【００１１】
前記粒子径測定装置において、前記近赤外光照射部は、１０６４ｎｍの波長の光を発する光源を備えてもよい。
【００１２】
前記粒子径測定装置において、ラマンスペクトル、被検出物の種類、ラマンスペクトルのピーク強度に対する被検出物の粒子径を関連付けて格納するデータベースをさらに備えてもよい。
【００１３】
前記粒子径測定装置において、前記粒子径算出部は、前記データベースに格納されたラマンスペクトルのピーク強度と被検出物の粒子径との関係に基づいて、前記検出したラマンスペクトルのピーク強度から前記被検出物の粒子径を算出してもよい。
【００１４】
前記粒子径測定装置において、前記データベースに格納されたラマンスペクトルに基づいて、前記ラマン散乱光検出部が検出したラマンスペクトルに対応する被検出物の種類を同定する被検出物同定部をさらに備え、前記粒子径算出部は、同定した被検出物の種類に基づいて、前記被検出物に関連付けられた前記データベースに格納されたラマンスペクトルのピーク強度のデータを選択し、選択したラマンスペクトルのピーク強度から前記被検出物の粒子径を算出してもよい。
【００１５】
また、本発明の一実施形態によると、前記何れかに記載の粒子径測定装置を用いて、原料粉末の粒子径を測定し、前記原料粉末の適否を判定する、ことを特徴とする、品質管理方法が提供される。
【００１６】
また、本発明の一実施形態によると、前記何れかに記載の粒子径測定装置を用いて、粉体の粒子径を測定し、測定した前記粉体の粒子径が所定の大きさとなった時点で、前記処理工程を終了する、ことを特徴とする、品質管理方法が提供される。
【発明の効果】
【００１７】
本発明の一実施形態によると、物質の同定とともに粒子径測定を簡便に行える粒子径測定方法、粒子径測定装置及びそれを用いた品質管理方法が提供される。
【図面の簡単な説明】
【００１８】
【図１】本発明の一実施形態に係る粒子径測定装置１００の模式図である。
【図２】本発明の一実施例に係るラマンスペクトルを示す図である。
【図３】本発明の一実施例に係るラマンスペクトルを示す図である。
【発明を実施するための形態】
【００１９】
以下、本発明に係る粒子径測定方法、粒子径測定装置及びそれを用いた品質管理方法について説明する。但し、本発明の粒子径測定方法、粒子径測定装置及びそれを用いた品質管理方法は、以下に示す実施の形態及び実施例の記載内容に限定して解釈されるものではない。
【００２０】
上述したように、ラマン分光法は物質の同定手段としては有効であるが、粉体の粒子径の測定には用いられてはこなかった。特許文献１に記載された顕微鏡ラマン分光法による粒子径の測定方法においては、ラマンケミカルイメージングを利用し、得られた画像データから粒子径を測定している。具体的には、顕微ラマン分光装置において、観察領域のｘ−ｙ方向の一定間隔にレーザーを照射し、照射箇所のラマンスペクトルを取得し、所定の閾値以上のピーク強度を示す照射箇所については粒子が存在し、所定の閾値未満のピーク強度を示す照射箇所については粒子が存在しないとする処理（２値化）によって、観察領域内の粒子の形状および分布を画像として得ていた。すなわち、従来は、ラマンスペクトル自体には、粉体の大きさを反映する情報が含まれるとは考えておらず、所定の閾値以上のピーク強度を示す照射箇所を二次元画像化した粒子の形状から粒子径を求めていた。
【００２１】
また、近赤外吸収スペクトル法も、物質の定性定量分析のほか、粒子径の測定に用いることも可能ではあるものの、構造が類似した物質が存在する場合、その同定が困難である。
【００２２】
ラマン分光法においては、安定な単波長の照射光が必要となるため、照射光として５３２ｎｍの波長が標準的に選択され、短波長として４０５ｎｍや４８８ｎｍ、長波長として６７１ｎｍや７８５ｎｍが選択されるのが一般的である。しかし、これらの波長の照射光を用いても、ラマンスペクトルから粉体の粒子径を求める情報を得ることはできない。本発明者らは、上記のラマン分光法と近赤外吸収スペクトル法の欠点を補完する方法として、近赤外光を照射光としたラマンスペクトルを用いることにより、ラマンスペクトルのピーク強度を二次元画像化する必要がない粒子径測定方法を見出した。このような試みは、これまでに報告されてはいない。
【００２３】
また、本発明に係る粒子径測定方法では、引用文献１に記載されたようなケミカルイメージングを必要としないため、装置の小型化が可能であり、物質の同定とともに粒子径測定を簡便に行うことができる。
【００２４】
一実施形態において、被検出物に近赤外光を照射し、被検出物のラマンスペクトルを検出し、得られたラマンスペクトルのピーク強度から被検出物の粒子径を決定する。これは、照射光として近赤外光を被検出物に照射すると、得られたラマンスペクトルのピーク強度が被検出物の粒子径と相関する知見を本発明者らが得たことによる。
【００２５】
図１は、本発明の一実施形態に係る粒子径測定装置１００の模式図である。一実施形態において、粒子径測定装置１００は、近赤外光照射部１１０と、ラマン散乱光検出部１２０と、粒子径算出部１３１と、を備える。粒子径測定装置１００は、制御部１３０、記憶部１４０、入力部１５０及び表示部１６０をさらに備えてもよい。
【００２６】
近赤外光照射部１１０は、例えば、光源１１１と、ミラー１１３と、を備える。光源１１１が発する照射光は、本発明においては近赤外光である。近赤外光は、７００ｎｍ〜２５００ｎｍの電磁波である。本実施形態において、光源１１１は、近赤外光を照射可能な光源であれば限定されないが、商業的に入手が可能な１０６４ｎｍの波長のレーザー光源が好適である。
【００２７】
ミラー１１３は、例えば、公知のダイクロイックミラー又はビームスプリッターである。ミラー１１３は、光源１１１から発した近赤外光１１を被検出物１９０に照射するとともに、被検出物１９０で散乱したラマン散乱光１３をラマン散乱光検出部１２０側へ透過する構成を有する。
【００２８】
ラマン散乱光検出部１２０の前段には、フィルター１２１が配置され、レイリー光をカットして、ラマン散乱光１３をラマン散乱光検出部１２０へ透過する。また、図示しないが、一実施形態において、ラマン散乱光検出部１２０は、ミラー１１３を透過したラマン散乱光１３を分光する分光器と、ラマン散乱光１３を検出する検出器を備える。分光器としては、公知の回折格子を用いることができる。検出器としては、例えば、フォトダイオード、ＣＣＤイメージセンサ、ＣＭＯＳイメージセンサ等の公知の固体撮像素子を用いることができる。測定の安定性の観点からＣＣＤイメージセンサが好ましい。
【００２９】
粒子径算出部１３１は、ラマン散乱光検出部１２０により検出されたラマンスペクトルのピーク強度から、粒子径を算出するプログラム又はモジュールである。粒子径算出部１３１は、一例として、制御部１３０において実行されるプログラム又はモジュールであってもよく、また、制御部１３０とは分離して配設される演算ユニットであってもよい。粒子径算出部１３１を構成するプログラム又はモジュールは記憶部１４０に格納され、制御部１３０で実行されてもよい。
【００３０】
制御部１３０は、粒子径測定装置１００を制御する制御プログラムを実行する演算ユニットである。制御プログラムは、記憶部１４０に格納されてもよく、記憶部１４０とは分離して配設されるＲＯＭ（Read Only Memory）に格納されてもよい。
【００３１】
粒子径測定装置１００は、被検出物同定部１３３をさらに備えてもよい。被検出物同定部１３３は、ラマン散乱光検出部１２０が検出したラマンスペクトルに対応する被検出物１９０の種類を同定するプログラム又はモジュールである。ラマン散乱光検出部１２０が検出したラマンスペクトルは、被検出物１９０の種類に特有のプロファイルを示す。すなわち、ラマンスペクトルにおいて検出されるバンド（ピーク）の位置（ラマンシフト）、強度、バンドの幅は、原子の質量と、原子間の結合力に依存するため、ラマンスペクトルは被検出物１９０の種類や構造を反映する。このため、被検出物同定部１３３は、データベース１４１に格納されているラマンスペクトルに基づいて、検出したラマンスペクトルに対応する被検出物１９０の種類を同定することができる。
【００３２】
被検出物同定部１３３は、一例として、制御部１３０において実行されるプログラム又はモジュールであってもよく、また、制御部１３０とは分離して配設される演算ユニットであってもよい。粒子径算出部１３１を構成するプログラム又はモジュールは記憶部１４０に格納され、制御部１３０で実行されてもよい。
【００３３】
記憶部１４０は、揮発性メモリやハードディスク等の公知の記憶装置であり、特には限定されない。記憶部１４０は、データベース１４１を備える。また、記憶部１４０は、制御プログラム、粒子径算出部１３１や粒子径算出部１３１を構成するためのプログラム又はモジュールを格納してもよい。
【００３４】
データベース１４１は、ラマンスペクトル、被検出物１９０の種類、ラマンスペクトルのピーク強度に対する被検出物１９０の粒子径を関連付けて格納する。例えば、データベース１４１は、被検出物毎にラマンスペクトルを格納する。また、データベース１４１は、被検出物毎に、ラマンスペクトルのピーク強度に対する被検出物の粒子径のデータを格納する。ここで、ラマンスペクトルのピーク強度に対する被検出物の粒子径のデータとして、検量線を作成可能な２点以上のピーク強度に対する被検出物の粒子径のデータを格納してもよく、被検出物毎に検量線の式を格納してもよい。なお、本実施形態においては、粒子径測定装置１００がデータベース１４１を備える構成を説明したが、本発明はこれに限定されるものではない。例えば、粒子径測定装置１００が無線通信等の通信手段を備える場合において、サーバ等の外部に設置された記憶装置にデータベース１４１を有してもよい。データベース１４１を粒子径測定装置１００の外部に備える構成にすることにより、記憶装置の容量の制限が緩和され、データベースのアップデート等のメンテナンスが容易となる利点もある。
【００３５】
入力部１５０は、測定者が粒子径測定装置１００を操作するための操作手段であり、キー入力手段やタッチパネル等の公知の技術を用いることができる。
【００３６】
表示部１６０は、測定結果等を表示する表示装置である。粒子径測定装置１００を小型化する観点から、表示部１６０は、例えば、液晶パネルや有機ＥＬパネル等が好ましい。
【００３７】
また、本発明に係る粒子径測定装置１００は、上記の構成の他に、ラマン分光装置において公知の構成を任意に備えることもできる。
【００３８】
＜粒子径測定方法＞
本発明に係る粒子径測定方法によると、一実施形態において、被検出物１９０に近赤外光を照射し、被検出物１９０のラマンスペクトルを検出し、得られたラマンスペクトルのピーク強度から被検出物１９０の粒子径を決定する。
【００３９】
粒子径測定装置１００において、近赤外光照射部１１０の光源１１１から発した近赤外光１１は、ミラー１１３により、被検出物１９０へ照射される。近赤外光１１を照射することにより被検出物１９０からラマン散乱光１３が発せられる。ラマン散乱光１３は、近赤外光照射部１１０のミラー１１３を透過して、フィルター１２１をさらに透過する。ことのとき、ラマン散乱光１３に混在するレイリー光は、フィルター１２１によりカットされ、ラマン散乱光検出部１２０には、ラマン散乱光１３が入射する。ラマン散乱光検出部１２０において、ラマン散乱光１３は分光器により分光され、検出器によりラマンスペクトルが検出される。
【００４０】
粒子径算出部１３１は、ラマンスペクトルのピーク強度と被検出物１９０の粒子径との関係に基づいて、被検出物１９０の粒子径を算出する。得られたラマンスペクトルのピーク強度から被検出物１９０の粒子径を算出する方法としては、検量線から被検出物１９０の粒子径を算出する方法が挙げられる。被検出物１９０が既知の物質である場合には、粒子径の異なる標準品を２つ以上、好ましくは３つ以上用いて、近赤外光１１を照射光としたラマンスペクトルを求めることにより、粒子径算出部１３１は、所定のラマンシフトのピーク強度から、検量線を作成する。ここで、検量線を作成するためのラマンシフトは、検量線が作成可能な範囲で任意に選択可能であるが、粒子径の測定精度の観点から、粒子径の大きくなる（又は小さくなる）ことによりピーク強度が大きくなる（又は小さくなる）幅が大きなラマンシフトを選択することが好ましい。この検量線に基づき、被検出物１９０のラマンスペクトルから求めた所定のラマンシフトのピーク強度から粒子径を算出することができる。
【００４１】
なお、本発明者らによる検討の結果、同一物質・同一組成物である場合、粒子径が小さくなるに連れてラマンシフトのピーク強度が強くなる傾向にあることが認められている。
【００４２】
また、データベース１４１に格納されたラマンスペクトルのピーク強度に対する被検出物の粒子径のデータを用いて粒子径を算出することもできる。例えば、データベース１４１が、検量線を作成可能な２点以上のピーク強度に対する被検出物の粒子径のデータを格納している場合、これらのデータに基づき、粒子径算出部１３１は、検量線を作成してもよい。さらに、データベース１４１が、被検出物毎に検量線の式を格納している場合、この検量線の式を用いて、被検出物１９０のラマンスペクトルから求めた所定のラマンシフトのピーク強度から粒子径を算出することができる。
【００４３】
一方、被検出物１９０が未知の物質である場合には、被検出物１９０の粒子径を算出するために、先ず、被検出物１９０を同定する必要がある。被検出物１９０の同定方法は公知のラマン分光法による物質の同定と同様である。被検出物同定部１３３は、ラマン散乱光検出部１２０が検出したラマンスペクトルに対応する被検出物１９０の種類を同定する。ここで、被検出物同定部１３３は、データベース１４１に格納されたラマンスペクトルと、ラマン散乱光検出部１２０が検出したラマンスペクトルとを照合することにより、被検出物１９０の種類を同定することができる。
【００４４】
被検出物１９０が未知の物質である場合であっても、被検出物１９０の種類を同定することにより、粒子径算出部１３１は、同定した被検出物と同じ物質の標準品を用いた検量線の作成が可能となり、予め求めたラマンスペクトルのピーク強度と被検出物の粒子径との関係に基づいて、被検出物１９０の粒子径を算出することができる。また、粒子径算出部１３１は、データベース１４１に格納された、同定した被検出物と同じ物質のラマンスペクトルのピーク強度に対する被検出物の粒子径のデータを検索し、検索されたデータを用いた粒子径の算出が可能となる。
【００４５】
＜品質管理方法＞
上述した粒子径測定装置１００を用いて、例えば、原料粉末の粒子径を測定し、原料粉末の適否を判定することができる。まず、粒子径測定装置１００を用いて、上述した方法により、原料粉末に含まれる物質を同定することができる。この同定作業により、原料粉末に含まれる不純物や、結晶の状態等の構造も確認可能である。さらに、本発明においては、上述したように、原料粉末の粒子径を測定することができる。このため、原料粉末が規定の粒子径を有するものであるかを原料の受け入れ段階で簡便に確認し、受け入れの適否を短時間で判断することも可能である。
【００４６】
また、上述した粒子径測定装置１００を、製造工程における品質管理にも適用することが可能である。例えば、所定の処理工程において、粉体の粒子径を測定し、測定した粉体の粒子径が所定の大きさとなった時点で、処理工程を終了することが可能である。具体的には、造粒工程において、粒子径測定装置１００を用いて造粒物の粒子径の成長をリアルタイムに測定することが可能である。例えば、造粒装置に粒子径測定装置１００を取り付け、造粒装置内での造粒物の粒子径をリアルタイムで測定する。このような粒子径の測定により、造粒物が所定の粒子径に達した時点で、造粒工程を終了させることもできる。
【実施例】
【００４７】
（ラマンスペクトルの測定）
３０  gのサンプルを秤量し、サンプリング用のビニル袋に入れた。ラマン分光装置として、株式会社リガク製のprogenyを用い、１０６４ｎｍの波長のレーザー光を袋の外側からサンプルに照射して、ラマンスペクトルを測定した。
測定条件は、以下の通り。
レーザー出力（ｍＷ）；４５０
照射時間（ｍｓ）；１０００
積算；８
【００４８】
（粒度分布計を用いた粒子径測定）
BECKMAN COULTERのレーザー解析散乱法粒度分布測定装置ＬＳ１３  ３２０を用い、サンプルの粒子径を測定した。測定容器に１〜３  gのサンプルを秤量し、測定した。サンプル数を３として粒子径を算出した。
【００４９】
＜実施例１＞
低置換度ヒドロキシプロピルセルロース（L-HCP）を用いて、グレード（粒子径）とラマンスペクトルのピーク強度との関係を検証した。低置換度ヒドロキシプロピルセルロースとして、信越化学工業株式会社のＬＨ−１１、ＬＨ−２１及びＬＨ−３１を用いた。
【００５０】
粒度分布計による測定結果から、ＬＨ−１１、ＬＨ−２１及びＬＨ−３１の粒子径は、それぞれ５５μｍ、４５μｍ、及び２０μｍであった。ＬＨ−１１、ＬＨ−２１及びＬＨ−３１のラマンスペクトルを図２に示す。図２（ａ）は１０６４ｎｍの波長のレーザー光源を用いて測定したラマンスペクトルを示し、図２（ｂ）は７８５ｎｍの波長のレーザー光源を用いて測定したラマンスペクトルを示す。
【００５１】
図２（ａ）の結果から、１０６４ｎｍの波長のレーザー光源を用いて測定したラマンスペクトルにおいては、最も粒子径が大きいＬＨ−１１のピーク強度がもっと小さく、粒子径が小さくなるに従って、ピーク強度が大きくなることが示された。したがって、近赤外光を照射して得たラマンスペクトルが粒子径測定に好適であることが示された。
【００５２】
一方、図２（ｂ）の結果から、７８５ｎｍの波長のレーザー光源を用いて測定したラマンスペクトルにおいては、ＬＨ−２１、ＬＨ−１１、ＬＨ−３１の順にピーク強度が強くなり、粒子径測定には利用できないことが示された。
【００５３】
＜実施例２＞
製造工程において処理した粉体に対しても粒子径測定が可能であるかを検討した。乳糖水和物としてフロイント産業株式会社のダイラクトーズ（登録商標）Ｓを用いて、粒子径とラマンスペクトルのピーク強度との関係を検証した。製造工程を模して、ダイラクトーズＳを株式会社ダルトン製の粉砕機を用いて粉砕した。粒度分布計による測定結果から、粉砕前のサンプルの粒子径は９４μｍであり、粉砕後のサンプルの粒子径は２０μｍであった。
【００５４】
図３は、粉砕前後のサンプル１０６４ｎｍの波長のレーザー光源を用いて測定したラマンスペクトルを示す。図３の結果から、１０６４ｎｍの波長のレーザー光源を用いて測定したラマンスペクトルにおいては、製造工程において処理した粉体に対しても、粒子径が小さくなるに従って、ピーク強度が大きくなることが示された。したがって、近赤外光を照射して得たラマンスペクトルが粒子径測定に好適であることが示された。
【符号の説明】
【００５５】
１１：近赤外光、１３：ラマン散乱光、１００：粒子径測定装置、１１０：近赤外光照射部、１１１：光源、１１３：ミラー、１２０：ラマン散乱光検出部、１２１：フィルター、１３０：制御部、１３１：粒子径算出部、１３３：被検出物同定部、１４０：記憶部、１４１：データベース、１５０：入力部、１６０：表示部、１９０：被検出物
【図１】
2018151273.tif 000003
【図２】
2018151273.tif 000004
【図３】
2018151273.tif 000005